(57)【要約】【課題】両手を使ったトランスクリプション等に用いられる場合であっても、できるだけ作業効率を損なわずに、再生に関わる操作が可能となる録音再生装置を提供する。【解決手段】音声情報の入力を受付けて記録する録音部と、該記録された音声情報の再生を実行する再生部と、を備えた録音再生装置において、前記再生部は、入力された音声情報における歯音を検出する検出部と、前記検出部の検出結果を用いて、再生に関わる動作を制御する動作制御部と、を備えた録音再生装置とする。【選択図】図４
2011022861.tif 000002
【特許請求の範囲】
【請求項１】
音声情報の入力を受付けて記録する録音部と、該記録された音声情報の再生を実行する再生部と、を備えた録音再生装置において、
前記再生部は、
入力された音声情報における歯音を検出する検出部と、
前記検出部の検出結果を用いて、再生に関わる動作を制御する動作制御部と、
を備えたことを特徴とする録音再生装置。
【請求項２】
前記検出部は、
個人の歯音を記憶する記憶部と、
記憶されている歯音と、前記入力された音声情報との比較を行うことにより、該音声情報における歯音を検出する歯音検出部と、
を備えたことを特徴とする請求項１に記載の録音再生装置。
【請求項３】
前記動作制御部は、
歯音同士の間隔または所定期間内に含まれる歯音の数によってそれぞれ特定される、複数種の歯音パターンを記憶しており、
前記検出部によって検出された歯音が、何れの歯音パターンに合致しているかを判別し、該判別の結果に応じて、前記再生の開始と停止を含む複数種の動作のうちの何れを実行するかを決定することを特徴とする請求項１または請求項２に記載の録音再生装置。
【請求項４】
前記検出部は、
ユーザの耳に係止されるマイクロフォンから、音声情報が入力されることを特徴とする請求項１から請求項３の何れかに記載の録音再生装置。
【請求項５】
音声情報の入力を受付けて記録する録音部と、該記録された音声情報の再生を実行する再生部と、を備えた装置に、
入力された音声情報における歯音を検出する手順と、
前記検出の結果を用いて、再生に関わる動作を制御する手順と、
を実行させることを特徴とするプログラム。
【請求項６】
音声情報の入力を受付けて記録する録音部と、該記録された音声情報の再生を実行する再生部と、を備えたトランスクリプション装置であって、
前記再生部は、
入力された音声情報における歯音を検出する検出部と、
前記検出部の検出結果を用いて、再生に関わる動作を制御する動作制御部と、
を備えたことを特徴とするトランスクリプション装置。
【発明の詳細な説明】
【技術分野】
【０００１】
本発明は、音声情報の録音および再生を行う録音再生装置に関する。
【背景技術】
【０００２】
従来、電気機器に対する各種の動作指示が、ユーザにとってより容易となるような装置の検討がなされている。例えば特許文献１によれば、歯を噛むこと等により生じる口腔音を利用して、電気機器に動作指示を行うことが可能な装置が開示されている。当該装置を用いれば、ユーザは両手を使わずに、電気機器に所望の動作を行わせることができる。
【０００３】
また従来、会議などの様々な場面で、録音再生装置（ＩＣレコーダ等）が広く利用されている。録音再生装置を用いれば、予め重要な会話などを録音しておき、事後的に、必要に応じて聞き返すことが可能である。
【０００４】
また録音再生装置は、口述筆記の補助手段としても利用することができる。この場合、口述内容の必要な部分を加工したり、事後的に様々な形で活用したりするために、口述内容の文字化（トランスクリプション）が、よく行われる。このトランスクリプションは一般的に、録音再生装置に録音されている口述内容を再生させた状態とし、作業者がこれを聞きながら、パソコンのキーボードをタイピングするといった態様により実行される。
【先行技術文献】
【特許文献】
【０００５】
【特許文献１】特開２００５−１３０４２７号公報
【発明の概要】
【発明が解決しようとする課題】
【０００６】
上述した態様のトランスクリプションが実行されるような場合、作業者は、再生に関わる所望の動作を実行させるため、必要に応じて、録音再生装置を操作することになる。例えば、タイピングが再生箇所に追いつかなくなったときは、遅れを取り戻すために「停止（再生を一時的に停止）」の操作がなされ、直前の再生内容を聞きなおしたい場合には、「逆戻り（一定時間分、遡った部分から再生しなおす）」の操作がなされることになる。
【０００７】
しかしながら、作業者は、両手を使ってタイピングを行うのが普通である。そのため、録音再生装置の操作において手を使う必要がある場合には、作業者は、操作のために一旦タイピングを中断せざるを得ない。このことは、作業効率を大幅に損ねることにも繋がる。
【０００８】
本発明は上述した問題点に鑑み、両手を使ったトランスクリプション等に用いられる場合であっても、できるだけ作業効率を損なわずに、再生に関わる操作が可能となる録音再生装置の提供を目的とする。
【課題を解決するための手段】
【０００９】
上記目的を達成するため、本発明に係る録音再生装置は、音声情報の入力を受付けて記録する録音部と、該記録された音声情報の再生を実行する再生部と、を備えた録音再生装置において、前記再生部は、入力された音声情報における歯音を検出する検出部と、前記検出部の検出結果を用いて、再生に関わる動作を制御する動作制御部と、を備えた構成とする。
【００１０】
本構成によれば、ユーザは、手などを使わなくても、歯音を鳴らすことにより、再生に関わる操作（再生に関わる動作の指示）を行うことが可能となる。そのため、両手を使ったトランスクリプション等に用いられる場合であっても、できるだけ作業効率を損なわずに、再生に関わる操作を行うことが可能となる。なお、再生に関わる動作とは、例えば、再生の開始や停止、再生箇所の変更、再生音量の変更、再生速度の変更などのように、音声情報の再生に何らかの影響を及ぼす動作のことである。
【００１１】
また上記構成において、前記検出部は、個人の歯音を記憶する記憶部と、記憶されている歯音と、前記入力された音声情報との比較を行うことにより、該音声情報における歯音を検出する歯音検出部と、を備えた構成としてもよい。
【００１２】
本構成によれば、記憶されている歯音が、ユーザの特徴が反映された教師データ（比較に用いるサンプルデータ）となる。そのため、ユーザごとの特徴が反映されていない、一般化された教師データが使われるような場合に比べ、歯音の検出を、高い精度で実現することが可能となる。
【００１３】
また上記構成において、前記動作制御部は、歯音同士の間隔または所定期間内に含まれる歯音の数によってそれぞれ特定される、複数種の歯音パターンを記憶しており、前記検出部によって検出された歯音が、何れの歯音パターンに合致しているかを判別し、該判別の結果に応じて、前記再生の開始と停止を含む複数種の動作のうちの何れを実行するかを決定する構成としてもよい。
【００１４】
本構成によれば、ユーザは、歯音を鳴らすタイミングや回数を調節することにより、複数種の動作のうちの所望の動作を、当該録音再生装置に実行させることが可能となる。
【００１５】
また上記構成としてより具体的には、前記検出部は、ユーザの耳に係止されるマイクロフォンから、音声情報が入力される構成としてもよい。
【００１６】
また本発明に係るプログラムは、音声情報の入力を受付けて記録する録音部と、該記録された音声情報の再生を実行する再生部と、を備えた装置に、入力された音声情報における歯音を検出する動作と、前記検出部の検出結果を用いて、前記再生の開始と停止を含んだ自機の動作を制御する動作と、を実行させるものとする。
【００１７】
また本発明に係るトランスクリプション装置は、音声情報の入力を受付けて記録する録音部と、該記録された音声情報の再生を実行する再生部と、を備えたトランスクリプション装置であって、前記再生部は、入力された音声情報における歯音を検出する検出部と、前記検出部の検出結果を用いて、再生に関わる動作を制御する動作制御部と、を備えた構成とする。
【００１８】
本構成によれば、トランスクリプションの作業者は、手などを使わなくても、歯音を鳴らすことにより、再生に関わる操作を行うことが可能となる。そのため、両手を使ってトランスクリプションの作業が行われる場合であっても、できるだけ作業効率を損なわずに、再生に関わる操作を行うことが可能となる。なおトランスクリプション装置とは、トランスクリプションの作業に用いられる装置、つまり、音声の内容（口述された言葉など）を文字化（筆記やワープロへの入力など）する作業に用いられる装置のことである。
【発明の効果】
【００１９】
上述した通り、本発明に係る録音再生装置によれば、ユーザは、手などを使わなくても、歯音を鳴らすことにより、再生に関わる操作を行うことが可能となる。そのため、両手を使ったトランスクリプション等に用いられる場合であっても、できるだけ作業効率を損なわずに、再生に関わる操作を行うことが可能となる。
【図面の簡単な説明】
【００２０】
【図１】本発明の実施形態に係る録音再生装置の構成図である。
【図２】当該録音再生装置において実行される主な処理のフローチャートである。
【図３】再生モードにおける動作状態の遷移図である。
【図４】当該録音再生装置に設けられた音声操作受付部の構成図である。
【図５】歯音の検出に関する説明図である。
【図６】歯音パターン記録部の記録内容に関する説明図である。
【図７】歯音パターン記録部の記録内容に関する別の説明図である。
【発明を実施するための形態】
【００２１】
本発明の実施形態について、音声操作が可能となっている録音再生装置を挙げて、以下に説明する。
【００２２】
図１は、当該録音再生装置の構成図を表している。本図に示す通り、この録音再生装置２は、音声入力部２１、音声情報記録部２２、音声出力部２３、制御部２４、音声操作受付部２５、およびスイッチ操作受付部２６等を備えている。
【００２３】
音声入力部２１は、外付けのマイク（マイクロフォン）１から音声情報が入力され、この音声情報を、音声情報記録部２２または音声操作受付部２５に伝送する。音声情報が、音声情報記録部２２と音声操作受付部２５の何れに伝送されるかは、制御部２４によって制御される。
【００２４】
なおマイク１は、集音機能を有しており、得られた音声情報を録音再生装置２へ出力するようになっている。またマイク１は、詳しくは後述するが、ユーザが鳴らす歯音（上下の歯を噛み合わせたときに生じる音）の集音にも用いられる。そこでマイク１は、歯音を効率よく集音するため、ユーザの口の近くに装着可能となるように、その形状が工夫されている。
【００２５】
例えばマイク１には、人の耳に引っ掛かって留まる（係止する）ように設計された装着補助部材が設けられており、この装着補助部材がユーザの耳に引っ掛けられることにより、マイク１が装着される。そしてこのように装着されたとき、マイク１の本体（集音する部分）は、ユーザの口の近くに位置するようになっている。またマイク１は、一般的なイヤフォンマイクであっても構わない。また、音声入力部２１に（つまり、録音再生装置２自体に）集音機能を持たせ、録音再生装置２が外付けのマイクを介さずに、音声情報を取得するようになっていても構わない。
【００２６】
音声情報記録部２２は、例えばフラッシュメモリによって形成されており、音声入力部２１から伝送されてきた音声情報を記録する。これにより、マイク１によって集音された音の記録（録音）が実現される。なお音声情報記録部２２には、一続きの音声情報の各々が別個の音声ファイルとして記録され、各音声ファイルには、ファイル名や録音日時といった情報が付与される。
【００２７】
音声出力部２３は、音声情報記録部２２に記録されている音声情報に基づいて、外付けのスピーカ３に音声を発生させるための音声信号を生成し、スピーカ３に出力する。これにより、録音されている音声の再生が実現される。なお、再生する音声ファイルの選択、再生の開始と停止、および早送りや逆戻りの実行などについては、制御部２４によって制御される。また、音声出力部２３に（つまり、録音再生装置２自体に）スピーカとしての機能を持たせ、録音再生装置２が外付けのスピーカを介さずに、音声を発生させるようになっていても構わない。
【００２８】
制御部２４は、録音動作や再生動作が適切に実行されるように、録音再生装置２の各部を制御する。なお、録音再生装置２において実行される主な動作については、改めて説明する。
【００２９】
音声操作受付部２５は、ユーザによる歯音を用いた操作（音声操作）を受付け、どのように操作されたかを表す操作信号を、制御部２４に伝送する。音声操作受付部２５のより詳細な構成や動作については、改めて説明する。
【００３０】
スイッチ操作受付部２６は、押しボタン式のスイッチ等を備えており、ユーザによるスイッチ操作を受付けて、どのように操作されたかを表す操作信号を、制御部２４に伝送する。なおスイッチの種類としては、「モード切替」ボタン、「録音開始」ボタン、「録音停止」ボタン、「再生／停止」ボタン、「早送り」ボタン、「逆戻り」ボタン、および「教師データ記録」ボタンなどが用意されている。音声操作受付部２５やスイッチ操作受付部２６が設けられていることにより、録音再生装置２は、ユーザの意図を反映させた動作を行うことが、可能となっている。
【００３１】
次に、録音再生装置２において実行される主な動作の内容について、図２に示すフローチャートを参照しながら、以下に説明する。
【００３２】
録音再生装置２は、その動作態様を定める動作モードが、録音に関わる動作を行う「録音モード」と、再生に関わる動作を行う「再生モード」の、何れか一方となっている。そして「モード切替」ボタンが押下される度に、録音再生装置２の動作モードは、「録音モード」から「再生モード」へ、或いは、「再生モード」から「録音モード」へと、切替えられるようになっている。
【００３３】
動作モードが「録音モード」であるときは、制御部２４は、ユーザによる「録音開始」ボタンの押下を待機する（ステップＳ１１）。そして「録音開始」ボタンが押下されたら（ステップＳ１１のＹ）、制御部２４は、マイク１から入力される音声情報の録音が開始されるように、音声入力部２１および音声情報記録部２２を制御する（ステップＳ１２）。
【００３４】
その後、「録音停止」ボタンが押下されるまで、当該録音は継続される（ステップＳ１４）。「録音停止」ボタンが押下されたら（ステップＳ１３のＹ）、制御部２４は、録音が停止されるように、音声入力部２１および音声情報記録部２２を制御する（ステップＳ１５）。そして制御部２４は、再度「録音開始」ボタンが押下されるのを待機する（ステップＳ１１）。このようにして「録音モード」においては、録音の実行（録音の開始と停止）がなされる度に、音声ファイルが次々と記録される。
【００３５】
一方、動作モードが「再生モード」であるときは、録音再生装置２は、再生状態と停止状態の何れかの状態となっている。ここで「再生状態」とは、既に記録されている音声ファイル（録音されている音声情報）のうち、ユーザによって指定されたものが、再生されている状態（最後まで再生されたら、新たな再生指示の待機状態に戻る）のことである。また「停止状態」とは、音声ファイルの再生が停止されている状態（新たな再生指示の待機状態、または、再生の一時停止の状態）のことである。
【００３６】
そして制御部２４は、再生状態または停止状態において、ユーザによる「再生／停止」、「早送り」、および「逆戻り」の各操作、ならびに「教師データ記録」ボタンの押下操作を待機する（ステップＳ２１〜Ｓ２４）。なお、「再生／停止」、「早送り」、および「逆戻り」の操作は、スイッチ操作受付部２６でのスイッチ操作で実現することも可能であり、音声操作受付部２５での音声操作で実現することも可能となっている。
【００３７】
そして「再生／停止」の操作がなされたら（ステップＳ２１のＹ）、制御部２４は、再生状態と停止状態を切替える（ステップＳ２５）。つまり、現時点の動作状態が再生状態であるときは、再生の一時停止の状態に移行される。また、現時点の動作状態が停止状態であるときは、再生状態に移行する。
【００３８】
より具体的には、新たな再生指示の待機状態において「再生／停止」の操作がなされたときは、ユーザによる音声ファイルの指定を受付けて、指定された音声ファイルの再生を開始する。また、再生の一時停止の状態において「再生／停止」の操作がなされたときは、直前の再生の続きとして（つまり、再生が一時停止された箇所から）、再生が開始される。
【００３９】
また「早送り」の操作がなされたら（ステップＳ２２のＹ）、制御部２４は、音声ファイルにおける、現在再生中の箇所からスキップ時間（例えば１０秒として、予め設定されている時間）だけ進めた箇所を検出する。そして制御部２４は、検出された箇所から再生が開始されるように、音声出力部２３等を制御する（ステップＳ２６）。なお、再生の一時停止の状態において「早送り」の操作がなされた場合は、再生が一時停止された箇所からスキップ時間だけ進めた箇所が検出され、この箇所から再生が開始される。
【００４０】
また「逆戻り」の操作がなされたら（ステップＳ２３のＹ）、制御部２４は、音声ファイルにおける、現在再生中の箇所からスキップ時間だけ遅らせた箇所を検出する。そして制御部２４は、検出された箇所から再生が開始されるように、音声出力部２３等を制御する（ステップＳ２７）。なお、再生の一時停止の状態において「逆戻り」の操作がなされた場合は、再生が一時停止された箇所からスキップ時間だけ遅らせた箇所が検出され、この箇所から再生が開始される。
【００４１】
上述のように再生モードのときは、ユーザは録音再生装置２に対して、任意のタイミングで、再生の実行や停止を実行させたり、早送りや逆戻りの動作を実行させたりすることが可能となっている。なお、再生モードにおける、「再生／停止」、「早送り」、および「逆戻り」の各操作がなされた場合の、動作状態の遷移状況を図示すれば、図３に示す通りとなる。
【００４２】
また「教師データ記録」ボタンが押下されたら（ステップＳ２４のＹ）、制御部２４は、音声ファイルが再生中であれば再生を一時停止させ、教師データ（ユーザの歯音のサンプルデータ）の記録を実行させるための記録指示信号を、音声操作受付部２５に出力する。これにより、音声操作受付部２５は、教師データの記録（詳しくは後述する）を実行することになる（ステップＳ２８）。なおステップＳ２５〜Ｓ２８の何れかの動作がなされた後、制御部２４は、引き続き、各種操作を待機する（ステップＳ２１〜Ｓ２４）。
【００４３】
次に、音声操作受付部２５の構成および動作について、より詳細に説明する。図４は、音声操作受付部２５の構成図である。
【００４４】
図４に示すように、音声操作受付部２５は、伝送路切替部５１、教師データ記録部５２、配置状態検出部５３、歯音パターン記録部５４、および操作信号生成部５５などを備えている。また録音再生装置２の動作モードが「再生モード」であるとき、マイク１から音声入力部２１に入力された音声情報は、音声操作受付部２５へ伝送されるようになっている。
【００４５】
伝送路切替部５１は、制御部２４から受取った記録指示信号に応じて、入力された音声情報の伝送先を切替える。この伝送先は、通常は配置状態検出部５３に設定されているが、記録指示信号が受取られたとき（つまり、「教師データ記録」ボタンが押下されたとき）は、一時的に、教師データ記録部５２へ切替えられるようになっている。なお、当該伝送先が教師データ記録部５２に設定される時間は、少なくとも、ユーザが１回分の歯音を入力するために要する時間（例えば１秒）となっており、この時間が経過したら、当該伝送先は、再び配置状態検出部５３に戻る。
【００４６】
教師データ記録部５２は、音声入力部２１から伝送されてきた音声情報を、教師データとして記憶する。これにより録音再生装置２は、ユーザの歯音の教師データの入力を受付けて、記憶するようになっている。なお、音声入力部２１から送出されてきた音声情報については、無音（微小な音声も含む）の区間が除去され、残った部分が教師データとして記録されるようにしても良い。
【００４７】
また教師データ記録部５２は、教師データの入力を受付ける度に教師データを更新するため、最新に入力された教師データが有効となる。ただし教師データ記録部５２においては、複数の音声情報を、それぞれ教師データの候補として記録可能となっていても良い。
【００４８】
この場合、当該候補のうちの何れかが、有効な教師データとして設定されることになる。これにより、録音再生装置２の利用予定者が複数存在する場合、各利用予定者の歯音を予め教師データの候補として記録させておき、実際の利用者（ユーザ）が決まったときに、この利用者の歯音を、有効な教師データとして設定することが可能となる。
【００４９】
配置状態検出部５３は、音声入力部２１から伝送されてきた音声情報に含まれている各歯音を検出し、当該歯音の箇所の配置状態（歯音の配置状態）を、継続的に検出する。例えば図５（ａ）に示すような音声情報（２回分の歯音を含んでいる）が入力された場合、図５（ｂ）に示すように、２回分の歯音の配置状態が検出される。歯音の配置状態は、各歯音が、音声情報にどのようなタイミングで含まれているかを表している。
【００５０】
なお、音声情報に含まれている歯音の検出は、音声情報の波形を、予め記録されている教師データの波形と比較し、近似の度合が一定値に達する箇所をサーチすること等によって実現される。また配置状態検出部５３は、各歯音の配置状態の検出結果を、歯音配置情報として継続的に後段側へ伝送する。
【００５１】
歯音パターン記録部５４は、歯音の配置状態のパターンを表す歯音パターンの各々を、操作信号の種類に対応付けて記録している。図６に、歯音パターン記録部５４の記録内容を具体的に示す。歯音パターン記録部５４は、パターンＡ、Ｂ、Ｃの３種類の歯音パターンを記録している。
【００５２】
パターンＡは、所定の期間Ｔｓ（例えば２秒）の内に、１回分の歯音が含まれているパターンを表している。つまり、１回分の歯音が検出された後、期間Ｔｓが経過するまでに、別の歯音が検出されなかったときのパターンを表している。また、パターンＢは２回分の歯音が、パターンＣは３回分以上の歯音が、それぞれ期間Ｔｓ内に含まれているパターンを表している。
【００５３】
そしてパターンＡは、「再生／停止」の操作信号に対応付けられており、パターンＢは、「早送り」の操作信号に対応付けられており、パターンＣは、「逆戻り」の操作信号に対応付けられている。
【００５４】
操作信号生成部５５は、配置状態検出部５３から伝送されてきた歯音配置情報が、歯音パターン記録部５４に記録されている歯音パターンの何れに合致しているかを判別する。より具体的には、歯音配置情報において、１回目の歯音の箇所から期間Ｔｓの間に、歯音が何回分含まれているかを検知し、この検知結果が何れの歯音パターンに対応しているかを判別する。
【００５５】
そして制御信号生成部５５は、合致していると判別された歯音パターンに対応した種類の操作信号を生成し、制御部２４に出力する。つまり当該判別の結果に応じて、再生の開始と停止、早送り、および逆戻りの動作のうちの、何れを実行するかが決定されることになる。
【００５６】
例えば歯音配置情報が、図５（ｂ）に示すように、期間Ｔｓ内に２回分の歯音が含まれていることを表す場合、パターンＢに対応している「早送り」の操作信号が生成・出力されることになる。そして「早送り」の操作信号が制御部２４に入力されたとき、制御部２４は、ユーザによって「早送り」の操作がなされたと認識する。
【００５７】
なお、歯音配置情報の内容に応じて操作信号を生成・出力する動作は、繰り返し継続的に実行される。つまり、１回目の歯音の箇所から期間Ｔｓまでの歯音配置情報に基づいて、１回分の操作信号が生成される。そしてこの期間Ｔｓを過ぎた後の、最初の歯音は、次の操作信号を生成するにあたっての、１回目の歯音として扱われることになる。
【００５８】
以上のように音声操作受付部２５においては、歯音の配置状態に応じて、生成・出力される操作信号の種類が変わるようになっている。そのためユーザは、歯音の鳴らし方を変えるだけで、「再生／停止」、「早送り」、および「逆戻り」に係る動作のうちの任意の動作がなされるように、録音再生装置２を操作することができる。
【００５９】
また録音再生装置２においては、音声操作を可能とするか否か（音声操作を受付けるか否か）が、適宜、ユーザによって切替可能となっていても良い。これによりユーザは、録音再生装置２をスイッチ操作のみで操作しようとする場合、意図しない歯音によって誤動作が生じることを、未然に防ぐことができる。
【００６０】
なお本実施形態では、各歯音パターンは、所定期間内の歯音の数によって定義されているが、他の内容によって定義されても構わない。例えば、歯音同士の間隔によって定義されても良く、所定期間内の歯音の数と歯音同士の間隔との組み合わせによって定義されても良い。所定期間内の歯音の数と歯音同士の間隔との組み合わせによって定義された場合、各歯音パターンの内容は、例えば図７に示す通りとなる。
【００６１】
図７によれば、パターンＡは、期間Ｔｓ内に、歯音が１回だけ検出された状態を表している。またパターンＢは、期間Ｔｓ内に、歯音が２回以上検出された場合であって、かつ、初めの歯音同士（１回目の歯音と２回目の歯音）の間隔が、所定の時間Ｔａ（例えば、０．５秒）未満である状態を表している。またパターンＣは、期間Ｔｓ内に、歯音が２回以上検出された場合であって、かつ、初めの歯音同士の間隔が、時間Ｔａ以上である状態を表している。
【００６２】
このように定義された場合、所定期間内の歯音の数の違いによって、パターンＡとその他のパターンが区別され、歯音同士の間隔の違いによって、パターンＢとパターンＣが区別されることになる。
【００６３】
また配置状態検出部５３は、入力された音声情報から歯音を検出する手法として、音声情報を教師データと比較する手法を採用しているが、他の手法が採用されていても構わない。例えば、入力された音声情報における、音の大きさが所定範囲内となった各箇所が、歯音として検出されるようにしても構わない。
【００６４】
また入力された音声情報における、音の大きさの単位時間当たりの変化量が所定値を超えた各箇所が、歯音として検出されるようにしても構わない。また、入力された音声情報が、まず所定のフィルタ（一般的な歯音の主要な周波数成分を通過させ、他の周波数成分をカットするフィルタ）にかけられ、フィルタを通過した音声情報から、歯音が検出されるようになっていても構わない。
【００６５】
また説明の便宜上、音声操作受付部２５を、制御部２４等とは別個のものとして扱ったが、具体的な構成としては、全部または一部が共通となっていても構わない。例えば、配置状態検出部５３、操作信号生成部５５、および制御部２４が、それぞれ共通のＣＰＵによって実現されていても良い。
【００６６】
また、このようなＣＰＵに読み取られる、録音再生装置の機能を発揮させるためのプログラムは、各種の記録媒体に記録させて、装置とは独立して流通させることも可能である。そして当該プログラムは、例えば汎用のパソコンにインストールされた場合、このパソコンが、録音再生装置２と同等の機能を発揮するようになる。
【００６７】
以上に説明した通り、本実施形態の録音再生装置２は、音声情報の入力を受付けて記録する機能部（録音部）と、この記録された音声情報の再生を実行する機能部（再生部）と、を備えている。そして再生部は、入力された音声情報における歯音を検出する機能部（検出部）と、検出部の検出結果を用いて、再生に関わる自機の動作（再生の開始と停止、早送り、および逆戻り）を制御する機能部（動作制御部）を備えている。
【００６８】
これによりユーザは、手などを使わなくても、歯音を鳴らすことにより、再生に関わる操作を行うことが可能となっている。その結果、録音再生装置２が両手を使ったトランスクリプション等に用いられる場合であっても、ユーザは、両手をキーボードから離すことなく、できるだけ作業効率を損なわずに、再生に関わる操作を行うことが可能となっている。またユーザにとっては、歯を噛み合わせるだけで良いため、手などを使う場合に比べて、即時的な操作が可能となっている。また本実施形態の録音再生装置は、トランスクリプション装置（トランスクリプションの作業に用いられる装置）として好適であるが、他の用途に用いられる装置としても構わない。
【００６９】
なお、足での操作を可能とするフットスイッチ等が用いられるようにしても、両手を使わずに装置の操作が可能となるが、この場合は、装置の小型化や携帯性が損なわれ易い。そのため、例えば電車内での作業といった用途に対しては、使い勝手が悪くなり、結局、作業効率が損なわれることになる。この点、録音再生装置２のように、歯音による操作を受付けるようにする場合は、フットスイッチ等が用いられる場合に比べて、装置の小型化を実現することが容易であり、こういった不具合は極力回避される。
【００７０】
また、録音再生装置２（録音部や再生部を備えた装置）の制御がプログラムに基づいて実行される場合、このプログラムは、当該装置に、入力された音声情報における歯音を検出する手順と、この検出の結果を用いて、再生に関わる自機の動作を制御する手順と、を実行させるプログラムと言える。
【００７１】
以上、本発明の実施形態について説明したが、本発明はこの内容に限定されるものではない。また本発明の実施形態は、本発明の主旨を逸脱しない限り、種々の改変を加えることが可能である。
【産業上の利用可能性】
【００７２】
本発明は、ＩＣレコーダなどの録音再生装置に利用することができる。
【符号の説明】
【００７３】
１    マイク（マイクロフォン）
２    録音再生装置
３    スピーカ
２１    音声入力部
２２    音声情報記録部
２３    音声出力部
２４    制御部
２５    音声操作受付部
２６    スイッチ操作受付部
５１    伝送路切替部
５２    教師データ記録部
５３    配置状態検出部
５４    歯音パターン記録部
５５    操作信号生成部
【図１】
2011022861.tif 000003
【図２】
2011022861.tif 000004
【図３】
2011022861.tif 000005
【図４】
2011022861.tif 000006
【図５】
2011022861.tif 000007
【図６】
2011022861.tif 000008
【図７】
2011022861.tif 000009